(57)【要約】【課題】軸筒の長さを短くすることや、インキ収容室４１の容量を大きくすることを可能とし、また吸入弁５の耐久性を低下させず、加工や組立てが複雑にならないインキ吸入機構３を得る。【解決手段】前方回転筒７と後方回転筒８とを、摺動筒１０の摺動凸部１０ｃを第二雌螺子部１１ａに形成した摺動溝１１ｂへ軸心に沿って進入させながら、前方回転筒７の後端部を後方回転筒８の前方に設けた大径開口部８ｃに圧入して回転部材９を形成することにより、螺子山の巻き方向が逆方向の関係にある第一雄螺子部６ａと第一雌螺子部７ａおよび第二雄螺子部８ａと第二雌螺子部１１ａを定位置に螺合させる。【選択図】図９
2012183643.tif 000002
【特許請求の範囲】
【請求項１】
インキ収容筒の内部に吸入弁を配し、前記インキ収容筒の後方部に設けた回転部材が回転することにより、該回転部材に形成した雌螺子部と螺合する雄螺子部を有した押棒を前後動させ、前記インキ収容筒のインキ収容室にインキを吸入する構造のインキ吸入機構において、前記回転部材を前方回転筒と後方回転筒とで構成し、前記前方回転筒に形成した第一雌螺子部に螺合する第一雄螺子部を外面に有した押棒の前方にインキ収容室の内壁を摺動する吸入弁を装着し、前方に形成した突起部に前記前方回転筒の前端を当接させると共に前記押棒を回動不能に係止させ且つ内部に前記前方回転筒を回動可能に収容した摺動筒の後方に摺動凸部を形成し、前記摺動筒の外方に固定筒を配し、該固定筒の内面に形成した前記前方回転筒の第一雌螺子部の螺子山と巻き方向が反対である第二雌螺子部へ設けた軸心に沿った摺動溝に前記摺動筒の摺動凸部を前後摺動可能に係止させ、前記後方回転筒の外面に形成した第二雄螺子部と前記固定筒の第二雌螺子部とを螺合し、前記前方回転筒と前記後方回転筒とを圧入嵌合して前記固定筒内で当該前方回転筒と後方回転筒とからなる回転部材を回動可能且つ前後動可能に配設し、前記インキ収容筒の後方に連結した保持筒に対し回動可能に装着した回転操作部材を、当該回転操作部材の内面に形成した回転止部に前記後方回転筒の外面に形成した回転止受部を回動不能且つ前後摺動可能に係止して、前記回転操作部材を回転させて該回転操作部材に係止した前記後方回転筒を回転させた際に、該後方回転筒の第二雄螺子部が前記固定筒の第二雌螺子部に沿って回転し、前記前方回転筒の前端が前記摺動筒の突起部を押動して、前記回転部材と共に前記摺動筒を前進させて、前記前方回転筒の第一雌螺子部と螺合した前記押棒が前記摺動筒の突起部により回転を規制されながら前記吸入弁を前進させ、前記回転操作部材を逆回転することにより、前記押棒および吸入弁を後退させて負圧とした前記インキ収容室にインキを吸入する構造のインキ吸入機構。
【発明の詳細な説明】
【技術分野】
【０００１】
本発明は、万年筆など筆記具のインキ吸入機構に関する。
【背景技術】
【０００２】
従来より、インキ収容室にインキを吸入する手段として、例えば特開２００２−３３１７９０号公報にも開示されているように、操作部８（回転操作部材）を回転操作することで液体収容室６（インキ収容室）の内部に配した弁部材１０（吸入弁）を押棒９で前後動させ、液体収容室６（インキ収容室）にインキの吸入を行う構造のインキ吸入機構はよく知られている。このようなインキ吸入機構では、液体収容室６の後方に押棒９が後退できる空間が必要であり、したがって液体収容室６の長さと液体収容室６の後方部の長さとが同じ位である必要性が生じ、この機構的な長さの制約から、軸筒の長さを短くすることや、液体収容室６の容量を大きくすることに不都合が生じていた。
【０００３】
特開平７−２９０８７３号公報には、前記問題を解消する構造として、吸引ピストン８（吸入弁）を前後動させるピストンロッド９，１０（押棒）が二段式に延びる二重構造となっており、その結果、インキ受入れ室６（インキ収容室）の後方部の長さを短くすることができる構造が記載されている。この特開平７−２９０８７３号公報に記載の構造は、操作部分４を回転操作することで回転しながら前進する第２ピストンロッド１０に対し、第２ピストンと螺合関係にある第１ピストンロッド９を空回りさせないようにする必要があるが、当該公報の記載では、第１ピストンロッド９の前方端に圧嵌された吸引ピストン８を、インキ受入れ室６の壁部に摩擦係合されるようにして回動不能にするか、インキ受入れ室６および吸引ピストン８の横断面形状を非円形にして互いをはめ合わせて回動不能にする旨の記載がある。
【０００４】
ところで、前記した特開平７−２９０８７３号公報の構造では、吸引ピストン８がインキ受入れ室６の壁部に摩擦係合した際の摩擦抵抗の増大により操作性が低下する虞や、摩擦により吸引ピストン８が摩耗して気密性が低下する虞がある。またインキ受入れ室６および吸引ピストン８の横断面形状を非円形にして回動させないようにする場合には、その加工やインキ吸入機構部の組立てが複雑になるといった問題が生じてくる。
【先行技術文献】
【特許文献】
【０００５】
【特許文献１】特開２００２−３３１７９０号公報
【特許文献２】特開平７−２９０８７３号公報
【発明の概要】
【発明が解決しようとする課題】
【０００６】
本発明はこうした問題点を解消するために、軸筒の長さを短くすることや、インキ収容室の容量を大きくすることを可能とし、また吸入弁の耐久性を低下させず、加工や組立てが複雑にならないインキ吸入機構を得ることを目的とする。
【課題を解決するための手段】
【０００７】
本発明は、
「インキ収容筒の内部に吸入弁を配し、前記インキ収容筒の後方部に設けた回転部材が回転することにより、該回転部材に形成した雌螺子部と螺合する雄螺子部を有した押棒を前後動させ、前記インキ収容筒のインキ収容室にインキを吸入する構造のインキ吸入機構において、前記回転部材を前方回転筒と後方回転筒とで構成し、前記前方回転筒に形成した第一雌螺子部に螺合する第一雄螺子部を外面に有した押棒の前方にインキ収容室の内壁を摺動する吸入弁を装着し、前方に形成した突起部に前記前方回転筒の前端を当接させると共に前記押棒を回動不能に係止させ且つ内部に前記前方回転筒を回動可能に収容した摺動筒の後方に摺動凸部を形成し、前記摺動筒の外方に固定筒を配し、該固定筒の内面に形成した前記前方回転筒の第一雌螺子部の螺子山と巻き方向が反対である第二雌螺子部へ設けた軸心に沿った摺動溝に前記摺動筒の摺動凸部を前後摺動可能に係止させ、前記後方回転筒の外面に形成した第二雄螺子部と前記固定筒の第二雌螺子部とを螺合し、前記前方回転筒と前記後方回転筒とを圧入嵌合して前記固定筒内で当該前方回転筒と後方回転筒とからなる回転部材を回動可能且つ前後動可能に配設し、前記インキ収容筒の後方に連結した保持筒に対し回動可能に装着した回転操作部材を、当該回転操作部材の内面に形成した回転止部に前記後方回転筒の外面に形成した回転止受部を回動不能且つ前後摺動可能に係止して、前記回転操作部材を回転させて該回転操作部材に係止した前記後方回転筒を回転させた際に、該後方回転筒の第二雄螺子部が前記固定筒の第二雌螺子部に沿って回転し、前記前方回転筒の前端が前記摺動筒の突起部を押動して、前記回転部材と共に前記摺動筒を前進させて、前記前方回転筒の第一雌螺子部と螺合した前記押棒が前記摺動筒の突起部により回転を規制されながら前記吸入弁を前進させ、前記回転操作部材を逆回転することにより、前記押棒および吸入弁を後退させて負圧とした前記インキ収容室にインキを吸入する構造のインキ吸入機構。」である。
【０００８】
回転操作部材の内面に形成した回転止部と後方回転筒の外面に形成した回転止受部との関係は、例えば、回転操作部材の内面に軸心に沿った凸部又は凹部を形成し、後方回転筒の外面に軸心に沿った凹部又は凸部を形成して、互いを係止させることにより回転操作部材に対し後方回転筒を回動不能且つ前後摺動可能にすることができる。
【０００９】
またインキ吸入機構における回転部材は、内部に第一雌螺子部を形成した前方回転筒の外方に摺動筒を配し、摺動筒の前方に形成した突起部に前方回転筒の前端を当接させ、前方回転筒の第一雌螺子部に押棒の第一雄螺子部を前方より螺入させて締め込み、且つ固定筒の内面に形成した第二雌螺子部に後方回転筒の第二雄螺子部を前方より螺入させて締め込んだ状態で、前方回転筒と後方回転筒とを嵌着させて回転部材を形成することにより、前方回転筒の第一雌螺子部と固定筒の第二雌螺子部とが反対の螺子山の巻き方向であっても、それぞれを所定の状態にしてから連結することで、螺子山の巻き方向が逆方向の関係にある第一雄螺子部と第一雌螺子部および第二雄螺子部と第二雌螺子部を定位置に螺合させる組立てが容易となる。
【００１０】
前方回転筒の第一雌螺子部と固定筒の第二雌螺子部とが反対の螺子山の巻き方向であることから、回転操作部材を回転させて固定筒に対し後方回転筒が回転しながら前進した場合には、後方回転筒に連結された前方回転筒の第一雄螺子部も回転して押棒の第一雌螺子部を回転させ、このとき押棒および吸入弁は摺動筒の突起部により押棒の回転が規制されていることから回転せずに前進する構造である。したがって回転操作部材の回転が行われると、回転部材の前進に伴い押棒も前進し、回転部材の後退に伴い押棒も後退して吸入弁でインキを吸入することができる。
【００１１】
吸入弁を前後進させる押棒は、従来技術のように吸入弁をインキ収容室の内壁に摩擦係合させたり、インキ収容室および吸入弁の横断面形状を非円形にして回動しないようにせずとも、前述の通り、摺動筒の突起部で押棒の回転を規制できる構造であるため、インキ収容筒の内壁と吸入弁との摩擦抵抗の増大により操作性が低下したり、加工や組立てが複雑になるといった問題が生じ難い構造である。さらにインキ収容室の内壁にグリスやオイルを塗布して、インキ吸入の操作性を滑らかにすることを可能にできる。
【発明の効果】
【００１２】
軸筒の長さを短くすることや、インキ収容室の容量を大きくすることが可能であり、吸入弁の耐久性が低下せず、加工や組立てが容易なインキ吸入機構を得ることができた。
【図面の簡単な説明】
【００１３】
【図１】図１は、本実施例のインキ吸入機構付き万年筆の断面図である。
【図２】図２は、図１の万年筆でインキ吸入を行っている状態の図である。
【図３】図３は、本実施例のインキ吸入機構の要部拡大図である。
【図４】図４は、図３のＸ−Ｘ線断面図である。
【図５】図５は、図３のＹ−Ｙ線断面図である。
【図６】図６は、図３のＺ−Ｚ線断面図である。
【図７】図７は、回転操作部材を操作して吸入弁を前進させている状態を示す図である。
【図８】図８は、回転操作部材を操作して吸入弁を前進させた状態を示す図である。
【図９】図９は、本実施例のインキ吸入機構を組立てている状態を示す図である。
【図１０】図１０は、図９の次工程を示す図である。
【図１１】図１１は、図１０の次工程を示す図である。
【発明を実施するための形態】
【００１４】
次に、図面を参照しながら説明を行うが、本発明は以下の実施例に限定されるものではない。また図中の同じ部材、同じ部品については、同じ符号としてある。
【００１５】
図１に示すように、本実施例のインキ吸入機構付きの万年筆１は、軸筒本体２の前方に首部材２１を配設し、首部材２１にペン芯２２と重ねたペン先２３を装着してある。軸筒本体２の後方には尾冠２４を装着してあり、軸筒本体２の内部にはインキ吸入機構３を設けてある。インキ吸入機構３は、内側をインキ収容室４１とするインキ収容筒４の内壁に摺動可能に配した吸入弁５と、吸入弁５の後方に連接した押棒６と、押棒６に螺合する前方回転筒７と該前方回転筒７に嵌着させた後方回転筒８とで構成する回転部材９と、前方回転筒７の外方に配した摺動筒１０と、摺動筒１０の外方に配した固定筒１１と、後方回転筒８の外方に配した回転操作部材１２と、回転操作部材１２を回動可能に係止する保持筒１３をインキ収容筒４の後方に設けて構成してある。
【００１６】
また、本実施例のインキ吸入機構３を設けた万年筆１は、図２に示すように、軸筒本体２を首部材２１から螺脱させ、回転操作部材１２の回転操作を行うことで、インキ瓶２００内に入れたペン芯２２からインキ３００をインキ収容室４１に吸入することができる構造である。
【００１７】
次に、図３〜図６を用いて本実施例のインキ吸入機構の詳細について説明を行う。図３はインキ吸入機構の要部拡大図であり、図４〜図６は図３で示したＸＹＺの横断面である。本実施例の回転部材９は、前方回転筒７と後方回転筒８とを嵌着させることで構成してある。また、前方回転筒７の内面には第一雌螺子部７ａを形成して、押棒６の外面に形成した第一雄螺子部６ａと螺合させてあり、押棒６の前方部にはインキ収容室４１の内壁を摺動する吸入弁５を開口部５ａに嵌合して装着して固定してある。摺動筒１０の前方には内方へ突出する突起部１０ａを形成してあり、前方回転筒７の前端が当接するようにしてある。
【００１８】
本実施例の押棒６は断面形状を扁平形状に形成すると共に、図４の横断面で示したように、摺動筒１０の前方の突起部１０ａに形成した同じく扁平形状に開口した開口窓１０ｂに遊嵌させることで、摺動筒１０に対する押棒６の回転を規制している。また摺動筒１０の後方部には摺動凸部１０ｃを形成してあり、摺動凸部１０ｃは、摺動筒１０の外方に配した固定筒１１の内面に形成した前方回転筒７の第一雌螺子部７ａの螺子山と巻き方向が反対である第二雌螺子部１１ａに形成した軸心に沿った摺動溝１１ｂへ前後摺動可能に係止させてある。後方回転筒８の外面に形成した第二雄螺子部８ａは、固定筒１１の第二雌螺子部１１ａと螺合してある。
【００１９】
インキ収容筒４の後方には保持筒１３を螺合により連結してあり、回転操作部材１２を、保持筒１３の係止凸部１３ａに回転操作部材１２の大径部１２ａを係止させると共に、該大径部１２ａを固定筒１１の後端に当接させることで、保持筒１３に対し回動可能に係止してある。回転操作部材１２の内面に形成した回転止凸部１２ｂは、軸心に沿って形成してあり、後方回転筒８の外面に同じく軸心に沿って形成した回転止受凹部８ｂに回動不能および前後摺動可能に係止してある。
【００２０】
したがって、本実施例のインキ吸入機構３は、図３の状態の回転操作部材１２を回転操作して回転操作部材１２に係止した後方回転筒８を回転させることにより、後方回転筒８の第二雄螺子部８ａが固定筒１１の第二雌螺子部１１ａに沿って回転して回転部材９が摺動筒１０と共に前進すると共に、前方回転筒７の第一雌螺子部７ａと螺合した押棒６が摺動筒１０の突起部１０ａにより回転を規制されながら吸入弁５と共に前進し（図７参照）、吸入弁５がインキ収容筒４の内面に形成した突起４２に当接した図８の状態となり（図８参照）、回転操作部材１２を逆回転して回転部材９および押棒６を後退させることで、負圧になったインキ収容筒４のインキ収容室４１にインキを吸入させることができた。
【００２１】
次に本実施例のインキ吸入機構の組立てについて図９〜図１１を用いて説明を行う。図９は、本実施例のインキ吸入機構を組立ている状態を示す図であり、図に示す回転部材９は、前方回転筒７と後方回転筒８とが分離した状態になっており、前方回転筒７を摺動筒１０の後方から挿通し、前方回転筒７の第一雌螺子部７ａに摺動筒１０の前方から進入させた押棒６の第一雄螺子部６ａを螺合させ、押棒６の前方鍔部６ｂと前方回転筒７の前端部とで摺動筒１０の突起部１０ａを挟持するよう締め込んである。また、後方回転筒８は固定筒１１の前方から挿通し、第二雄螺子部８ａと第二雌螺子部１１ａとを螺合させながら、後方回転筒８の第二雄螺子部８ａが固定筒１１の第二雌螺子部１１ａの末端部１１ｃに当接するまで締め込んである。
【００２２】
図１０は、図９の次工程の状態を示す図である。図９に示す状態にあった前方回転筒７と後方回転筒８とを、摺動筒１０の摺動凸部１０ｃを固定筒１１の第二雌螺子部１１ａに形成した摺動溝１１ｂへ軸心に沿って進入させながら、前方回転筒７の後端部を後方回転筒８の前方に設けた大径開口部８ｃに嵌着して回転部材９を形成することにより、螺子山の巻き方向が逆方向の関係にある第一雄螺子部６ａと第一雌螺子部７ａおよび第二雄螺子部８ａと第二雌螺子部１１ａを定位置に螺合させることが容易にできた。尚、図９で示すように本実施例の回転部材９は、前方回転筒７の後方外面に放射状に形成した凹凸部７ｂを設けると共に、後方回転筒８の大径開口部８ｃの内面に同じく放射状に形成した凸凹部８ｄを設け、凹凸部７ｂと凸凹部８ｄとを噛み合わすことにより、前方回転筒７と後方回転筒８との回転方向の滑りを強固に防止している。
【００２３】
図１１は、図１０の次工程を示す図である。図１０に示す状態にあった押棒６の前方部に対し吸入弁５を装着し、回転操作部材１２の回転止凸部１２ｂを後方回転筒８の回転止受凹部８ｂに摺動させながら、後方回転筒８の後端部に回転操作部材１２を遊嵌させた状態である。本実施例では、図１１の状態から、インキ収容筒４のインキ収容室４１の内壁に吸入弁５を摺動させながら挿通すると共に、固定筒１１の前端に形成した角状の突起部１１ｄをインキ収容筒４の後端面に形成した角状のキー溝４３に係止することでインキ収容筒４に対する固定筒１１の回転を確実に防ぎ（図４参照）、結果的にインキ収容室４１の内壁に対して吸入弁５が回転しない構造とすることができ、回転操作部材１２の後方より保持筒１３を被せ、インキ収容筒４の後方外面に形成した雄螺子部４ａと保持筒１３の前方内面に形成した雌螺子部１３ｂとを螺合させて、図１に示すインキ吸入機構３を完成した。
【産業上の利用可能性】
【００２４】
本発明のインキ吸入機構は、軸筒本体内にインキ吸入機構をコンバーターとして装着する構造や、軸筒本体自体がインキ収容筒を兼ねた構造の万年筆やマーキングペンなどの筆記具に採用することが可能である。
【符号の説明】
【００２５】
１…万年筆、
２…軸筒本体、２１…首部材、２２…ペン芯、２３…ペン先、２４…尾冠、
３…インキ吸入機構、
４…インキ収容筒、４１…インキ収容室、４２…突起、４３…キー溝、
４ａ…雄螺子部、
５…吸入弁、５ａ…開口部、
６…押棒、６ａ…第一雄螺子部、
７…前方回転筒、７ａ…第一雌螺子部、７ｂ…凹凸部、
８…後方回転筒、８ａ…第二雄螺子部、８ｂ…回転止受凹部、
８ｃ…大径開口部、８ｄ…凸凹部、
９…回転部材、
１０…摺動筒、１０ａ…突起部、１０ｂ…開口窓、１０ｃ…摺動凸部、
１１…固定筒、１１ａ…第二雌螺子部、１１ｂ…摺動溝、１１ｃ…末端部、
１２…回転操作部材、１２ａ…大径部、１２ｂ…回転止凸部、
１３…保持筒、１３ａ…係止凸部、１３ｂ…雌螺子部、
２００…インキ瓶、３００…インキ。
【図１】
2012183643.tif 000003
【図２】
2012183643.tif 000004
【図３】
2012183643.tif 000005
【図４】
2012183643.tif 000006
【図５】
2012183643.tif 000007
【図６】
2012183643.tif 000008
【図７】
2012183643.tif 000009
【図８】
2012183643.tif 000010
【図９】
2012183643.tif 000011
【図１０】
2012183643.tif 000012
【図１１】
2012183643.tif 000013